(57)【特許請求の範囲】
【請求項１】
給電対象に電気的に接続される端子部と、
外部電源の配線と接続される接続端子と、
前記接続端子を収容する収容孔を有するハウジングと、を備え、
前記接続端子は、基部と、前記基部から突設されるとともに弾性変形可能な一対の接触片と、を有し、
前記一対の接触片は、
前記基部から延びる延設部と、
前記延設部における前記基部とは反対側に連続するとともに前記延設部から離間するにつれて互いに接近するように延びる傾斜部と、
前記傾斜部における前記延設部とは反対側に連続するとともに前記端子部と接触する接触部と、
前記接触部における前記傾斜部とは反対側に連続するとともに前記接触部から離間するにつれて互いに離間するように延びる先端部と、を有し、
前記端子部が前記一対の接触片の前記接触部の間に挿入されるとともに、前記一対の接触片が弾性変形しており、前記一対の接触片が互いに離間する方向へ押し広げられるとともに、前記延設部と前記傾斜部との境界部と、前記先端部の先端とが、前記ハウジングにおける前記収容孔を形成する内面に接触して前記内面に支持される給電装置であって、
前記内面における前記一対の接触片の前記先端部の先端がそれぞれ接触可能な部位に設けられ、前記基部から離間するにつれて互いに離間していくように傾斜する先端部側テーパ部、及び前記収容孔を形成する前記ハウジングの形成壁の、前記一対の接触片が互いに離間する方向に対して交差する方向に位置する両部位に設けられ、前記収容孔における前記先端部側の開口から少なくとも前記先端部の先端が前記内面に接触可能な部位よりも越えた位置まで延びるスリット、を備え、
前記形成壁は筒状であり、
前記端子部を収容するとともに前記形成壁が挿入可能な挿入孔を有するケーシングをさらに備え、
前記形成壁における前記一対の接触片が互いに離間する方向に位置する両外面に、前記収容孔における前記先端部側の開口に向かうにつれて互いに接近していくように傾斜する逃がしテーパ部が設けられていることを特徴とする給電装置。
【請求項２】
前記内面における前記一対の接触片の前記境界部がそれぞれ接触可能な部位に、前記基部に接近するにつれて互いに離間していくように傾斜する境界部側テーパ部が設けられていることを特徴とする請求項１に記載の給電装置。
【請求項３】
前記ハウジングは、前記端子部を前記一対の接触片の前記接触部の間に向けてガイドするガイド部を有することを特徴とする請求項１又は請求項２に記載の給電装置。
【請求項４】
前記ハウジングは、前記端子部における前記一対の接触片が互いに離間する方向に対して交差する方向に位置する部位に当接可能な当接部を有することを特徴とする請求項１〜請求項３のいずれか一項に記載の給電装置。
【請求項５】
流路を切り換えるための弁体と、前記弁体を移動させる給電対象であるソレノイド部とを備えた電磁弁であって、
請求項１〜請求項４のいずれか一項に記載の給電装置を用いて外部電源から前記ソレノイド部へ電力が供給されることを特徴とする電磁弁。
【発明の詳細な説明】
【技術分野】
【０００１】
本発明は、給電装置、及びそれを備えた電磁弁に関する。
【背景技術】
【０００２】
電磁弁は、流路を切り換えるための弁体と、弁体を移動させるソレノイド部とを備え、外部電源からソレノイド部へ電力が供給されることにより、ソレノイド部が駆動することで弁体が移動し、流路が切り換えられる。一般的に、電磁弁は、このような給電対象であるソレノイド部へ電力を供給するための給電装置を備えている（例えば特許文献１参照）。
【０００３】
図１３に示すように、給電装置１００は、ソレノイド部に電気的に接続される板状の端子部１１０と、外部電源の配線１０１と接続される接続端子１２０とを備えている。接続端子１２０は、基部１２１と、基部１２１から突設されるとともに弾性変形可能な一対の接触片１２２とを有する。一対の接触片１２２は、基部１２１から延びる延設部１２２ａと、延設部１２２ａにおける基部１２１とは反対側に連続するとともに延設部１２２ａから離間するにつれて互いに接近するように延びる傾斜部１２２ｂとを有する。さらに、一対の接触片１２２は、傾斜部１２２ｂにおける延設部１２２ａとは反対側に連続するとともに互いに平行に延び、端子部１１０と面接触する接触部１２２ｃと、接触部１２２ｃにおける傾斜部１２２ｂとは反対側に連続するとともに接触部１２２ｃから離間するにつれて互いに離間するように延びる先端部１２２ｄとを有する。接続端子１２０は、外部電源の配線１０１が接続された状態で、ハウジング１３０に形成された収容孔１３１内に収容されている。
【０００４】
そして、端子部１１０が一対の接触片１２２の接触部１２２ｃの間に挿入されることで、一対の接触片１２２が弾性変形して、一対の接触片１２２が互いに離間する方向へ押し広げられる。すると、延設部１２２ａと傾斜部１２２ｂとの境界部１２２ｅと、先端部１２２ｄの先端とが、ハウジング１３０における収容孔１３１を形成する内面１３０ａに接触して内面１３０ａに支持される。この境界部１２２ｅ及び先端部１２２ｄにおける内面１３０ａに対しての支持が行われることにより、各接触部１２２ｃから端子部１１０に作用する荷重が増大し、各接触部１２２ｃにおける端子部１１０に対しての面接触状態が十分に維持される。よって、外部電源から配線１０１、接続端子１２０、端子部１１０を介してソレノイド部へ電力が安定的に供給される。
【先行技術文献】
【特許文献】
【０００５】
【特許文献１】特許第３８６０８８８号公報
【発明の概要】
【発明が解決しようとする課題】
【０００６】
しかしながら、一対の接触片１２２が端子部１１０によって互いに離間する方向へ押し広げられ、先端部１２２ｄがハウジング１３０の内面１３０ａに接触したときに、先端部１２２ｄが内面１３０ａに引っ掛かる等して、先端部１２２ｄの先端の位置が接触部１２２ｃから離間する方向へ移動できなくなってしまう場合がある。すると、各接触部１２２ｃから端子部１１０に作用する荷重が大きくなり過ぎてしまい、端子部１１０を、一対の接触片１２２の接触部１２２ｃの間に対して、挿入する際や引き抜く際の操作性が悪化してしまう。
【０００７】
本発明は、上記課題を解決するためになされたものであって、その目的は、端子部と接触部との接触状態を十分に維持しつつも、操作性の向上を図ることができる給電装置、及びそれを備えた電磁弁を提供することにある。
【課題を解決するための手段】
【０００８】
上記課題を解決する給電装置は、給電対象に電気的に接続される端子部と、外部電源の配線と接続される接続端子と、前記接続端子を収容する収容孔を有するハウジングと、を備え、前記接続端子は、基部と、前記基部から突設されるとともに弾性変形可能な一対の接触片と、を有し、前記一対の接触片は、前記基部から延びる延設部と、前記延設部における前記基部とは反対側に連続するとともに前記延設部から離間するにつれて互いに接近するように延びる傾斜部と、前記傾斜部における前記延設部とは反対側に連続するとともに前記端子部と接触する接触部と、前記接触部における前記傾斜部とは反対側に連続するとともに前記接触部から離間するにつれて互いに離間するように延びる先端部と、を有し、前記端子部が前記一対の接触片の前記接触部の間に挿入されるとともに、前記一対の接触片が弾性変形しており、前記一対の接触片が互いに離間する方向へ押し広げられるとともに、前記延設部と前記傾斜部との境界部と、前記先端部の先端とが、前記ハウジングにおける前記収容孔を形成する内面に接触して前記内面に支持される給電装置であって、前記内面における前記一対の接触片の前記先端部の先端がそれぞれ接触可能な部位に設けられ、前記基部から離間するにつれて互いに離間していくように傾斜する先端部側テーパ部、及び前記収容孔を形成する前記ハウジングの形成壁の、前記一対の接触片が互いに離間する方向に対して交差する方向に位置する両部位に設けられ、前記収容孔における前記先端部側の開口から少なくとも前記先端部の先端が前記内面に接触可能な部位よりも越えた位置まで延びるスリット、を備え、前記形成壁は筒状であり、前記端子部を収容するとともに前記形成壁が挿入可能な挿入孔を有するケーシングをさらに備え、前記形成壁における前記一対の接触片が互いに離間する方向に位置する両外面に、前記収容孔における前記先端部側の開口に向かうにつれて互いに接近していくように傾斜する逃がしテーパ部が設けられている。
【００１０】
上記給電装置において、前記内面における前記一対の接触片の前記境界部がそれぞれ接触可能な部位に、前記基部に接近するにつれて互いに離間していくように傾斜する境界部側テーパ部が設けられていることが好ましい。
【００１１】
上記給電装置において、前記ハウジングは、前記端子部を前記一対の接触片の前記接触部の間に向けてガイドするガイド部を有することが好ましい。
上記給電装置において、前記ハウジングは、前記端子部における前記一対の接触片が互いに離間する方向に対して交差する方向に位置する部位に当接可能な当接部を有することが好ましい。
【００１２】
上記課題を解決する電磁弁は、流路を切り換えるための弁体と、前記弁体を移動させる給電対象であるソレノイド部とを備えた電磁弁であって、請求項１〜請求項４のいずれか一項に記載の給電装置を用いて外部電源から前記ソレノイド部へ電力が供給される。
【発明の効果】
【００１３】
この発明によれば、端子部と接触部との接触状態を十分に維持しつつも、操作性の向上を図ることができる。
【図面の簡単な説明】
【００１４】
【図１】実施形態における電磁弁を示す斜視図。
【図２】給電装置及びパイロット弁部の断面図。
【図３】ソケットの平断面図。
【図４】ソケットの縦断面図。
【図５】ソケットの斜視図。
【図６】ソケットの下面図。
【図７】給電部の分解斜視図。
【図８】端子部が両スリットによって一対の接触片の間に向けてガイドされている状態を示す平断面図。
【図９】境界部と先端部の先端とが形成壁の内面に接触した状態を示す平断面図。
【図１０】別の実施形態におけるソケットの平断面図。
【図１１】別の実施形態におけるソケットの一部を拡大して示す斜視図。
【図１２】別の実施形態におけるソケット及び端子部の縦断面図。
【図１３】従来例における給電装置を示す平断面図。
【発明を実施するための形態】
【００１５】
以下、給電装置、及びそれを備えた電磁弁を具体化した一実施形態を図１〜図９にしたがって説明する。本実施形態の電磁弁は、流体圧シリンダ等の流体圧機器を駆動させるために用いられるパイロット形電磁弁である。
【００１６】
図１に示すように、パイロット形電磁弁１０は、主弁部１１と、主弁部１１に連結されるパイロット弁部１２とを備えている。主弁部１１は、ポートを複数有するバルブハウジング内に収容された図示しない主弁体（スプール弁体）を備えている。パイロット弁部１２は、主弁体の端部にパイロット流体によるパイロット圧を作用させて主弁体を移動させる。
【００１７】
図２に示すように、パイロット弁部１２は、流路を切り換える弁体１３と、弁体１３を移動させるソレノイド部１４とを備えている。なお、パイロット弁部１２は、給電対象であるソレノイド部１４への電力の供給又は停止によって弁体１３を開弁状態と閉弁状態とに切り換える公知の電磁弁であるため、その詳細な説明を省略する。
【００１８】
パイロット形電磁弁１０は、ソレノイド部１４へ電力を供給するための給電装置１５を備えている。給電装置１５は、ソケット１６と、ソケット１６が接続される給電部１７とを備えている。そして、外部電源１８から給電装置１５を介してソレノイド部１４へ電力が供給されて、ソレノイド部１４が駆動することで弁体１３が移動し、流路が切り換えられる。
【００１９】
図３及び図４に示すように、ソケット１６は、外部電源１８の配線１８ａと接続される接続端子２１と、接続端子２１を収容する収容孔３１を有するハウジング３０とを有している。本実施形態では、外部電源１８から配線１８ａが２本延びている。そして、ソケット１６は、接続端子２１を二つ有しており、各接続端子２１が各配線１８ａにそれぞれ接続されている。ハウジング３０には、収容孔３１が二つ設けられており、各収容孔３１に各接続端子２１がそれぞれ収容されている。二つの収容孔３１は互いに平行に延びるように隣り合っている。
【００２０】
各接続端子２１は、基部２２と、基部２２から突設されるとともに弾性変形可能な一対の接触片２３とを有している。一対の接触片２３は、基部２２から互いに平行に延びる延設部２３ａと、延設部２３ａにおける基部２２とは反対側に連続するとともに延設部２３ａから離間するにつれて互いに接近するように延びる傾斜部２３ｂとを有する。さらに、一対の接触片２３は、傾斜部２３ｂにおける延設部２３ａとは反対側に連続するとともに互いに平行に延びる接触部２３ｃと、接触部２３ｃにおける傾斜部２３ｂとは反対側に連続するとともに接触部２３ｃから離間するにつれて互いに離間するように延びる先端部２３ｄとを有する。
【００２１】
また、接続端子２１は、基部２２における接触片２３とは反対側に延設された保持部２４を有している。保持部２４は、配線１８ａをかしめることで保持している。配線１８ａは、保持部２４によりかしめられることにより保持部２４に保持された状態で保持部２４に電気的に接続されている。
【００２２】
ハウジング３０は、各接続端子２１の保持部２４を内部に配置する各収容孔３１の一部を形成する四角ブロック状の本体部３２と、本体部３２の一端面３２ａから突出するとともに、各接触片２３を内部に配置する各収容孔３１の一部を形成する一対の形成壁３３とを有している。各形成壁３３は四角筒状である。
【００２３】
図３に示すように、各形成壁３３における収容孔３１を形成する内面３３ａにおいて、一対の接触片２３の先端部２３ｄの先端がそれぞれ接触可能な部位には、基部２２から離間するにつれて互いに離間していくように傾斜する先端部側テーパ部３３ｂが形成されている。
【００２４】
図５に示すように、各形成壁３３における一対の接触片２３が互いに離間する方向に対して直交する方向に位置する両部位には、スリット３３ｃがそれぞれ形成されている。図３及び図４に示すように、各スリット３３ｃは、収容孔３１における形成壁３３側の開口（先端部２３ｄ側の開口）から基部２２の手前まで延びている。よって、各スリット３３ｃは、収容孔３１における形成壁３３側の開口から先端部２３ｄの先端が形成壁３３の内面３３ａに接触可能な部位よりも越えた位置まで延びている。
【００２５】
図６に示すように、各形成壁３３における一対の接触片２３が互いに離間する方向に位置する両外面には、収容孔３１における形成壁３３側の開口に向かうにつれて互いに接近していくように傾斜する逃がしテーパ部３３ｄが設けられている。よって、各形成壁３３は、本体部３２から離間するにつれて先細である。
【００２６】
図４に示すように、基部２２における一対の接触片２３が互いに離間する方向に対して直交する方向に位置する両部位には、板状の第１掛止部２２ａ及び第２掛止部２２ｂが突設されている。第１掛止部２２ａの先端は、一対の接触片２３側に向いている。第２掛止部２２ｂの先端は、保持部２４側に向いている。
【００２７】
各形成壁３３の内面３３ａには、第１掛止部２２ａが係止される第１係止段部３３１が形成されている。第１係止段部３３１は、収容孔３１における本体部３２側の開口に臨んでいる。また、各形成壁３３には、第２掛止部２２ｂが係止される第２係止段部３３２が形成されている。第２係止段部３３２は、収容孔３１における形成壁３３側の開口に臨んでいる。
【００２８】
接続端子２１は、収容孔３１に対して、本体部３２側の開口から挿入されて、第１掛止部２２ａの先端が第１係止段部３３１に係止されることにより、接続端子２１が収容孔３１内において形成壁３３側の開口に向けて移動してしまうことが規制されている。さらに、第２掛止部２２ｂの先端が第２係止段部３３２に係止されることにより、接続端子２１が収容孔３１内において本体部３２側の開口に向けて移動してしまうことが規制されている。
【００２９】
ソケット１６は、本体部３２に一体形成されるとともに本体部３２から一対の形成壁３３を被覆するように張り出す板状の張り出し片３４を有している。張り出し片３４は、自身の弾性変形に基づいて、本体部３２に対して揺動可能になっている。図４及び図６に示すように、張り出し片３４における一対の形成壁３３側の面には、各形成壁３３に対向配置される一対の突設部３４ａが形成されている。さらに、一対の突設部３４ａの間には、一対の突設部３４ａよりも形成壁３３寄りに突出する係止突起３４ｂが形成されている。
【００３０】
図１に示すように、給電部１７は、パイロット弁部１２に取り付けられるケーシング４１を有している。ケーシング４１には、パイロット弁部１２とは反対側に突出する突出部４２が設けられている。突出部４２には、一対の形成壁３３が挿入可能な挿入孔としての一対の第１挿入孔４２ａが形成されている。また、突出部４２には、一対の形成壁３３が挿入可能な挿入孔としての一対の第２挿入孔４２ｂが形成されている。第１挿入孔４２ａの開口方向は、第２挿入孔４２ｂの開口方向に対して直交する方向である。各第１挿入孔４２ａと各第２挿入孔４２ｂとは突出部４２内で互いに連通している。また、突出部４２における一対の第１挿入孔４２ａの間、及び一対の第２挿入孔４２ｂの間には、係止突起３４ｂが係止される係止凹部４２ｃがそれぞれ形成されている。
【００３１】
ソケット１６は、一対の形成壁３３が一対の第１挿入孔４２ａ又は一対の第２挿入孔４２ｂに選択的に挿入されることにより給電部１７に接続される。一対の形成壁３３が一対の第１挿入孔４２ａに挿入されたときには、一対の第２挿入孔４２ｂが張り出し片３４によって塞がれ、一対の第２挿入孔４２ｂに一対の突設部３４ａが嵌め込まれるとともに係止凹部４２ｃに係止突起３４ｂが係止される。これにより、一対の第２挿入孔４２ｂが外部に露出されなくなり、係止突起３４ｂにおける係止凹部４２ｃへの係止によって、ソケット１６における給電部１７からの抜けが規制されている。
【００３２】
また、一対の形成壁３３が一対の第２挿入孔４２ｂに挿入されたときには、一対の第１挿入孔４２ａが張り出し片３４によって塞がれ、一対の第１挿入孔４２ａに一対の突設部３４ａが嵌め込まれるとともに係止凹部４２ｃに係止突起３４ｂが係止される。これにより、一対の第１挿入孔４２ａが外部に露出されなくなり、係止突起３４ｂにおける係止凹部４２ｃへの係止によって、ソケット１６における給電部１７からの抜けが規制されている。
【００３３】
図７に示すように、ケーシング４１内には、基板４３が収容されている。基板４３は、基板４３の一端面から突設された板状の一対の端子部４４と、図示しない配線を介して各端子部４４と電気的に接続された一対の端子管４５とを備えている。基板４３は、ケーシング４１の図示しない突起部の弾性変形を利用してケーシング４１内に保持されている。各端子部４４は、各第１挿入孔４２ａ及び各第２挿入孔４２ｂに収容されるとともに、各第１挿入孔４２ａ及び各第２挿入孔４２ｂの両方に臨んでいる。
【００３４】
ソレノイド部１４からは一対の端子ピン４６が突設されている。各端子ピン４６は各端子管４５に挿入されて各端子管４５に電気的に接続されている。よって、各端子部４４は、各端子管４５及び各端子ピン４６を介してソレノイド部１４に電気的に接続されている。
【００３５】
図８に示すように、一対の形成壁３３が一対の第１挿入孔４２ａ又は一対の第２挿入孔４２ｂに選択的に挿入されると、端子部４４は、両スリット３３ｃによって、一対の接触片２３の接触部２３ｃの間に向けてガイドされる。よって、本実施形態では、両スリット３３ｃは、端子部４４を一対の接触片２３の接触部２３ｃの間に向けてガイドするガイド部として機能している。そして、端子部４４が一対の接触片２３の接触部２３ｃの間に挿入される。
【００３６】
図９に示すように、端子部４４が一対の接触片２３の接触部２３ｃの間に挿入されることにより、一対の接触片２３が弾性変形して、一対の接触片２３が互いに離間する方向へ押し広げられる。すると、延設部２３ａと傾斜部２３ｂとの境界部２３ｅと、先端部２３ｄの先端とが、形成壁３３の内面３３ａに接触して内面３３ａに支持される。この境界部２３ｅ及び先端部２３ｄにおける形成壁３３の内面３３ａに対しての支持が行われることにより、各接触部２３ｃから端子部４４に作用する荷重が増大し、各接触部２３ｃにおける端子部４４に対しての面接触状態が十分に維持される。よって、各接触部２３ｃは、端子部４４と面接触する。そして、外部電源１８から配線１８ａ、接続端子２１、端子部４４、端子管４５及び端子ピン４６を介してソレノイド部１４へ電力が安定的に供給される。
【００３７】
次に、本実施形態の作用について説明する。
各形成壁３３における収容孔３１を形成する内面３３ａにおいて、一対の接触片２３の先端部２３ｄの先端がそれぞれ接触可能な部位に、先端部側テーパ部３３ｂが形成されている。このため、一対の接触片２３が端子部４４によって互いに離間する方向へ押し広げられ、先端部２３ｄが先端部側テーパ部３３ｂに接触したときに、先端部２３ｄの先端の位置を接触部２３ｃから離間する方向へ移動させる力Ｆ１が先端部側テーパ部３３ｂから作用し易くなる。よって、先端部２３ｄの先端の位置が接触部２３ｃから離間する方向へ移動し易くなっている。
【００３８】
また、各形成壁３３における一対の接触片２３が互いに離間する方向に対して直交する方向に位置する両部位に、スリット３３ｃがそれぞれ形成されている。このため、一対の接触片２３が端子部４４によって互いに離間する方向へ押し広げられ、先端部２３ｄが先端部側テーパ部３３ｂに接触したときに、形成壁３３におけるスリット３３ｃを挟んだ両側の部位も、一対の接触片２３が互いに離間する方向へ押し広げられる。その結果、先端部２３ｄの先端の位置が接触部２３ｃから離間する方向へ移動し易くなっている。
【００３９】
各形成壁３３における一対の接触片２３が互いに離間する方向に位置する両外面に、逃がしテーパ部３３ｄが設けられている。このため、形成壁３３におけるスリット３３ｃを挟んだ両側の部位が、一対の接触片２３が互いに離間する方向へ押し広げられたときに、形成壁３３における一対の接触片２３が互いに離間する方向に位置する両外面が、第１挿入孔４２ａ又は一対の第２挿入孔４２ｂの内面に干渉し難くなっている。
【００４０】
上記実施形態では以下の効果を得ることができる。
（１）各形成壁３３における収容孔３１を形成する内面３３ａにおいて、一対の接触片２３の先端部２３ｄの先端がそれぞれ接触可能な部位に、先端部側テーパ部３３ｂを形成した。境界部２３ｅ及び先端部２３ｄにおける形成壁３３の内面３３ａに対しての支持が行われることにより、各接触部２３ｃから端子部４４に作用する荷重が増大し、各接触部２３ｃにおける端子部４４に対しての面接触状態が十分に維持される。そして、先端部２３ｄが先端部側テーパ部３３ｂに接触したときに、先端部２３ｄの先端の位置が接触部２３ｃから離間する方向へ移動し易くなる。また、各形成壁３３における一対の接触片２３が互いに離間する方向に対して直交する方向に位置する両部位に、スリット３３ｃをそれぞれ形成した。これによれば、先端部２３ｄが先端部側テーパ部３３ｂに接触したときに、形成壁３３におけるスリット３３ｃを挟んだ両側の部位も、一対の接触片２３が互いに離間する方向へ押し広げられる。その結果、先端部２３ｄの先端の位置が接触部２３ｃから離間する方向へ移動し易くなる。よって、先端部２３ｄが内面３３ａに引っ掛かる等して、先端部２３ｄの先端の位置が接触部２３ｃから離間する方向へ移動できなくなってしまうことが抑制される。その結果、各接触部２３ｃから端子部４４に作用する荷重が大きくなり過ぎてしまうことが回避される。よって、端子部４４と接触部２３ｃとの接触状態を十分に維持しつつも、端子部４４を、一対の接触片２３の接触部２３ｃの間に挿入するために、一対の形成壁３３を一対の第１挿入孔４２ａ又は一対の第２挿入孔４２ｂに挿入する際や、端子部４４を、一対の接触片２３の接触部２３ｃの間から引き抜くために、一対の形成壁３３を一対の第１挿入孔４２ａ又は一対の第２挿入孔４２ｂから引き抜く際の操作性の向上を図ることができる。
【００４１】
（２）各形成壁３３における一対の接触片２３が互いに離間する方向に位置する両外面に、逃がしテーパ部３３ｄを設けた。これによれば、形成壁３３におけるスリット３３ｃを挟んだ両側の部位が、一対の接触片２３が互いに離間する方向へ押し広げられたときに、形成壁３３における一対の接触片２３が互いに離間する方向に位置する両外面が、第１挿入孔４２ａ又は一対の第２挿入孔４２ｂの内面に干渉し難くなる。その結果、形成壁３３における一対の接触片２３が互いに離間する方向に位置する両外面が、第１挿入孔４２ａ又は一対の第２挿入孔４２ｂの内面に干渉して、一対の形成壁３３が一対の第１挿入孔４２ａ又は一対の第２挿入孔４２ｂに挿入し難くなることが回避される。さらには、一対の形成壁３３を一対の第１挿入孔４２ａ又は一対の第２挿入孔４２ｂから引き抜き難くなることが回避される。その結果、操作性の向上をさらに図ることができる。
【００４２】
（３）端子部４４は、両スリット３３ｃによって、一対の接触片２３の接触部２３ｃの間に向けてガイドされる。よって、両スリット３３ｃは、端子部４４を一対の接触片２３の接触部２３ｃの間に向けてガイドするガイド部として機能している。これによれば、端子部４４を一対の接触片２３の接触部２３ｃの間に挿入し易くすることができ、操作性の向上をさらに図ることができる。
【００４３】
なお、上記実施形態は以下のように変更してもよい。
・  図１０に示すように、各形成壁３３における収容孔３１を形成する内面３３ａにおいて、一対の接触片２３の境界部２３ｅがそれぞれ接触可能な部位に、基部２２に接近するにつれて互いに離間していくように傾斜する境界部側テーパ部３３ｅが設けられていてもよい。これによれば、一対の接触片２３が端子部４４によって互いに離間する方向へ押し広げられ、境界部２３ｅが境界部側テーパ部３３ｅに接触したときに、境界部２３ｅの位置が接触部２３ｃから離間する方向へ移動し易くなる。よって、境界部２３ｅが内面３３ａに引っ掛かる等して、境界部２３ｅの位置が接触部２３ｃから離間する方向へ移動できなくなってしまうことを抑制することができる。したがって、各接触部２３ｃから端子部４４に作用する荷重が大きくなり過ぎてしまうことが回避される。よって、端子部４４を、一対の接触片２３の接触部２３ｃの間に挿入するために、一対の形成壁３３を一対の第１挿入孔４２ａ又は一対の第２挿入孔４２ｂに挿入する際や、端子部４４を、一対の接触片２３の接触部２３ｃの間から引き抜くために、一対の形成壁３３を一対の第１挿入孔４２ａ又は一対の第２挿入孔４２ｂから引き抜く際の操作性の向上をさらに図ることができる。
【００４４】
・  図１１及び図１２に示すように、ハウジング３０は、端子部４４における一対の接触片２３が互いに離間する方向に対して直交する方向に位置する部位４４ｅに当接可能な当接部３３ｇを有していてもよい。両スリット３３ｃのうち、張り出し片３４側のスリット３３ｃは、端子部４４の厚さよりも広い幅の幅広スリット部３３１ｃと、端子部４４の厚さよりも狭い幅の幅狭スリット部３３２ｃとを有している。幅狭スリット部３３２ｃは、幅広スリット部３３１ｃに連続するとともに幅広スリット部３３１ｃよりも張り出し片３４寄りに位置している。そして、形成壁３３における幅広スリット部３３１ｃと幅狭スリット部３３２ｃとの間の段差部は、端子部４４における一対の接触片２３が互いに離間する方向に対して直交する方向に位置する部位４４ｅに当接可能な当接部３３ｇとなっている。
【００４５】
図１２に示すように、一対の形成壁３３が、例えば、一対の第２挿入孔４２ｂに挿入されると、端子部４４は、両スリット３３ｃのうち、張り出し片３４とは反対側のスリット３３ｃと、張り出し片３４側のスリット３３ｃの幅広スリット部３３１ｃとによって、一対の接触片２３の接触部２３ｃの間に向けてガイドされる。このとき、端子部４４における一対の接触片２３が互いに離間する方向に対して直交する方向に位置する部位４４ｅが当接部３３ｇに当接することにより、ハウジング３０が、一対の接触片２３が互いに離間する方向に対して直交する方向へ傾いてしまうことが抑止される。その結果、一対の形成壁３３を一対の第２挿入孔４２ｂに挿入し易くなり、操作性の向上を図ることができる。
【００４６】
・  図１１及び図１２に示す実施形態において、当接部３３ｇは、端子部４４における一対の接触片２３が互いに離間する方向に対して交差する方向に位置する部位に当接可能であってもよい。
【００４７】
・  図１１及び図１２に示す実施形態において、両スリット３３ｃのうち、張り出し片３４とは反対側のスリット３３ｃが、端子部４４の厚さよりも広い幅の幅広スリット部３３１ｃと、端子部４４の厚さよりも狭い幅の幅狭スリット部３３２ｃとを有していてもよい。この場合、一対の形成壁３３は、一対の第１挿入孔４２ａに挿入されずに、一対の第２挿入孔４２ｂに挿入されるものに限定される。
【００４８】
・  実施形態では、両スリット３３ｃを、端子部４４を一対の接触片２３の接触部２３ｃの間に向けてガイドするガイド部として機能させたが、これに限らず、スリット３３ｃとガイド部とを別々に設けてもよい。
【００４９】
・  実施形態において、各スリット３３ｃは、形成壁３３における一対の接触片２３が互いに離間する方向に対して交差する方向に位置する両部位に設けられていればよい。
・  実施形態において、両スリット３３ｃが、端子部４４を一対の接触片２３の接触部２３ｃの間に向けてガイドするガイド部として機能していなくてもよい。すなわち、端子部４４を一対の接触片２３の接触部２３ｃの間に向けてガイドするガイド部を設けなくてもよい。
【００５０】
・  実施形態において、各形成壁３３における一対の接触片２３が互いに離間する方向に位置する両外面に、逃がしテーパ部３３ｄが設けられていなくてもよく、各形成壁３３における一対の接触片２３が互いに離間する方向に位置する両外面が互いに平行に延びていてもよい。
【００５１】
・  実施形態において、例えば、端子部４４が円柱状に形成されていてもよい。この場合、各接触部２３ｃは、端子部４４と線接触する。
・  実施形態において、一対の接触片２３の延設部２３ａが、基部２２から離間するにつれて互いに接近する方向に延びていてもよいし、基部２２から離間するにつれて互いに離間する方向に延びていてもよい。
【００５２】
・  実施形態において、一対の接触片２３の接触部２３ｃが、傾斜部２３ｂから離間するにつれて互いに接近する方向に延びていてもよいし、傾斜部２３ｂから離間するにつれて互いに離間する方向に延びていてもよい。
【００５３】
・  実施形態において、スリット３３ｃは、収容孔３１における形成壁３３側の開口から基部２２の手前まで延びていなくてもよく、収容孔３１における形成壁３３側の開口から少なくとも先端部２３ｄの先端が形成壁３３の内面３３ａに接触可能な部位よりも越えた位置まで延びていればよい。
【００５４】
・  実施形態において、給電装置１５は、先端部側テーパ部３３ｂ及びスリット３３ｃの少なくとも一方を備えていればよい。したがって、給電装置１５は、先端部側テーパ部３３ｂが設けられるとともに、スリット３３ｃが設けられていない構成であってもよいし、先端部側テーパ部３３ｂが設けられておらず、スリット３３ｃが設けられている構成であってもよい。
【００５５】
・  実施形態において、給電装置１５は、第１挿入孔４２ａ又は第２挿入孔４２ｂのどちらかを削除した構成であってもよい。
・  実施形態において、例えば、外部電源１８から配線１８ａが３本延びており、ソケット１６が、接続端子２１を三つ有していてもよい。この場合、ハウジング３０には、収容孔３１が三つ設けられる。要は、配線１８ａ、接続端子２１及び収容孔３１の数は、特に限定されるものではない。
【００５６】
・  実施形態では、電磁弁を、パイロット流体によるパイロット圧に基づいて主弁体を移動させるパイロット形電磁弁１０に具体化したが、これに限らず、例えば、ソレノイド部１４の駆動に基づいて主弁体を駆動させる電磁弁に具体化してもよい。
【符号の説明】
【００５７】
１０…電磁弁であるパイロット形電磁弁、１３…弁体、１４…給電対象であるソレノイド部、１５…給電装置、１８…外部電源、１８ａ…配線、２１…接続端子、２２…基部、２３…接触片、２３ａ…延設部、２３ｂ…傾斜部、２３ｃ…接触部、２３ｄ…先端部、２３ｅ…境界部、３０…ハウジング、３１…収容孔、３３…形成壁、３３ａ…内面、３３ｂ…先端部側テーパ部、３３ｃ…ガイド部としても機能するスリット、３３ｄ…逃がしテーパ部、３３ｅ…境界部側テーパ部、３３ｇ…当接部、４１…ケーシング、４２ａ…挿入孔としての第１挿入孔、４２ｂ…挿入孔としての第２挿入孔、４４…端子部、４４ｅ…部位。
【図１】
0006301297.tif 000002
【図２】
0006301297.tif 000003
【図３】
0006301297.tif 000004
【図４】
0006301297.tif 000005
【図５】
0006301297.tif 000006
【図６】
0006301297.tif 000007
【図７】
0006301297.tif 000008
【図８】
0006301297.tif 000009
【図９】
0006301297.tif 000010
【図１０】
0006301297.tif 000011
【図１１】
0006301297.tif 000012
【図１２】
0006301297.tif 000013
【図１３】
0006301297.tif 000014